(57)【要約】  口径１インチのエアゾール容器１１の開口部に嵌合装着される装着部材に２つのバルブハウジング装着部を形成し、これらバルブハウジング装着部にそれぞれエアゾールバルブを装着して、この装着部材の中間部をエアゾール容器１１の開口部のビード部１２に位置させて開口部よりエアゾールバルブの上部を突き出すように嵌合装着し、この装着部材の外側を被覆体１９で覆ってステムガスケットを押えるようにビード部１２の外側にクリンプし、２つのエアゾールバルブをインチ缶１１に設ける。  さらに、装着部材と被覆体１９との間には、ステムガスケットを押え被覆体の変形を防止する補強カバー部材を設けて、被覆体の天面部に加わる内圧による変形やステムガスケットからの漏洩などを確実に防止する。  これにより、規格品的な口径１インチのビード部を有するエアゾール容器に２つのエアゾールバルブを配置し、内溶液を分配して噴射できる複数液分配用のエアゾール装置を提供する。
2012011162.tif 000002
【特許請求の範囲】
【請求項１】
口径１インチの開口部の周囲にビード部が形成されたエアゾール容器内に複数の内溶液を充填し、複数のエアゾールバルブの各ステムを介してそれぞれの内容液を外部に噴射させる複数液分配用のエアゾール装置であって、
前記開口部に嵌合装着される装着部材に複数のエアゾールバルブを装着し得るバルブハウジング装着部をそれぞれ形成してこれら複数のバルブハウジング装着部のそれぞれにエアゾールバルブを装着するとともに、当該装着部材の中間部を前記ビード部に位置させて装着し、
この装着部材の外側を覆って前記ステムを突出させるとともに、ステムガスケットを押える被覆体を前記ビード部の外側にシールガスケットを介して固定したことを特徴とする複数液分配用のエアゾール装置。
【請求項２】
前記装着部材と前記被覆体との間には、前記ステムガスケットを押えるとともに、前記被覆体の変形を防止する補強カバー部材を設けたことを特徴とする請求項１記載の複数液分配用のエアゾール装置。
【請求項３】
前記補強カバー部材と前記装着部材との間に、当該補強カバー部材を当該装着部材に保持し得る保持手段を設けたことを特徴とする請求項２記載の複数液分配用のエアゾール装置。
【請求項４】
前記エアゾールバルブを２組とし、前記装着部材の上端部に２つの平側壁面を平行とした略長円柱形の先端突出部を形成し、この先端突出部を覆って前記補強カバー部材を設けて構成したことを特徴とする請求項２または３記載の複数液分配用のエアゾール装置。
【請求項５】
前記補強カバー部材に、前記先端突出部に加えて前記装着部材を覆う脚部を設けて構成したことを特徴とする請求項４記載の複数液分配用のエアゾール装置。
【請求項６】
前記エアゾール容器内には噴射剤を充填する一方、２組ないし複数組のエアゾールバルブにそれぞれ内溶液が充填される容積を可変とする内袋を接続して構成したことを特徴とする請求項１〜５のいずれかに記載の複数液分配用のエアゾール装置。
【発明の詳細な説明】
【技術分野】
【０００１】
本発明は複数液分配用のエアゾール装置に関し、規格品として一般的な口径１インチのエアゾール容器で、複数の内溶液をそれぞれ分離した状態で、独立したエアゾールバルブのステムから外部に分配して噴射させることができるようにしたものである。
【背景技術】
【０００２】
エアゾール容器内に内溶液と噴射剤とを充填したエアゾール製品には種々のものがあり、そのひとつに複数の内溶液を混合することにより優れた効果を発揮するもの、例えば塗料、接着剤、染髪剤、医薬品などがある。【０００３】
このような使用の際に混合しなければならないものの多くは、混合によって硬化や酸化などの化学反応を生じることからエアゾール製品とする場合には、エアゾールバルブ内で混合を生じさせると、硬化などによりエアゾールバルブを再使用できなくなる場合もあり、エアゾールバルブ内で混合させず外部に分配して噴射させることが好ましい場合が多い。【０００４】
このため、例えば特許文献１に開示された二液分配用エアゾール装置では、ガス加圧で変形容易な２つの内袋にそれぞれ異なる内溶液を充填し、１つのエアゾールバルブにそれぞれの内袋に連通する２つの通路を形成しておき、ステムからは２つの内溶液を分配して噴射させることができるようにしている。【０００５】
また、特許文献２に開示された複数液型のエアゾールバルブ装置では、エアゾール容器の開口部に固着されるマウンテンカップに複数のステム作動孔を形成し、それぞれのステム作動孔にエアゾールバルブを装着し、外容器内に内容器を収容し、内外容器にそれぞれ収容された原液をそれぞれのエアゾールバルブから分配して噴射させるようにしている。【０００６】
さらに、特許文献３の２液混合型のエヤゾール装置では、２本のエアゾール容器を合体し、各容器の上端のマウテンカップに設けたバルブステムに跨る形で共通の噴射ボタンを取り付けるようにしてあり、噴射ボタンまでは、２本のエアゾール容器内の原液が分離された状態で噴射されるようになっている。【０００７】
一方、このようなエアゾール製品のエアゾール容器として規格品的に用いられているものに、当業者間でインチ缶とよばれる口径が１インチで、開口部外周にビード部が形成され、通常、マウンテンカップをかしめ等で固定することで密閉されるものが一般的であり、マウンテンカップに内溶液噴射用のエアゾールバルブを設けている。
【先行技術文献】
【特許文献】
【０００８】
【特許文献１】特開２００４−２４４１０９号公報
【特許文献２】特開２００２−１９３３６３号公報
【特許文献３】特開平１０−８６９８３号公報
【発明の概要】
【発明が解決しようとする課題】
【０００９】
このような複数の内溶液を充填し、それぞれを混合させることなく分離した状態で分配して噴射させることができるエアゾール製品を規格品的に多用されている、いわゆるインチ缶で構成しようとすると、特許文献１に開示された１つのエアゾールバルブに２つの通路を形成したものでは、コンパクトであり、適用可能であるが、小さな部品で構成されるエアゾールバルブ内に、２つの通路を形成する必要があり、構造が複雑になるとともに、ステムを押し下げて噴射する場合に２つの通路からの噴射量を均一にすることが難しいという問題がある。【００１０】
また、特許文献２に開示された２つのエアゾールバルブをマウンテンカップに装着するものでは、マウンテンカップをエアゾール容器の開口部外周のビード部に固定する場合に、マウンテンカップの外周部内側の凹溝に拡開可能な爪を位置させて外側に押し広げるようにする必要があるが、いわゆるインチ缶では、２つのエアゾールバルブを装着した状態で、クリンチ用の爪を位置させる空間を確保することができず、適用することができないという問題がある。【００１１】
さらに、２つのエアゾールバルブやさらに複数のエアゾールバルブを設ける場合には、ステムガスケットの面積も２倍ないし複数倍となり、内圧が加わる天面部の面積が大きくなることからその対応も必要となる。【００１２】
本発明は、かかる従来技術における課題を解決するためなされたものであり、規格品的に多用されているいわゆる口径１インチのビード部を有するエアゾール容器に２つないし複数のエアゾールバルブを配置することができ、内溶液を分離した状態で混合することなく分配して噴射させることができる複数液分配用のエアゾール装置を提供しようとするものである。【００１３】
また、本発明は、２つないし複数のエアゾールバルブを配置することによりステムガスケット部分などの面積増大による変形等を防止することができる複数液分配用のエアゾール装置を提供しようとするものである。
【課題を解決するための手段】
【００１４】
上記課題を解決するため、本発明の請求項１記載の複数液分配用のエアゾール装置は、口径１インチの開口部の周囲にビード部が形成されたエアゾール容器内に複数の内溶液を充填し、複数のエアゾールバルブの各ステムを介してそれぞれの内溶液を外部に噴射させる複数液分配用のエアゾール装置であって、前記開口部に嵌合装着される装着部材に複数のエアゾールバルブを装着し得るバルブハウジング装着部をそれぞれ形成してこれら複数のバルブハウジング装着部のそれぞれにエアゾールバルブを装着するとともに、当該装着部材の中間部を前記ビード部に位置させて装着し、この装着部材の外側を覆って前記ステムを突出させるとともに、ステムガスケットを押える被覆体を前記ビード部の外側にシールガスケットを介して固定したことを特徴とするものである。【００１５】
また、本発明の請求項２記載の複数液分配用のエアゾール装置は、請求項１記載の構成に加え、前記装着部材と前記被覆体との間には、前記ステムガスケットを押えるとともに、前記被覆体の変形を防止する補強カバー部材を設けたことを特徴とするものである。【００１６】
さらに、本発明の請求項３記載の複数液分配用のエアゾール装置は、請求項２記載の構成に加え、前記補強カバー部材と前記装着部材との間に、当該補強カバー部材を当該装着部材に保持し得る保持手段を設けたことを特徴とするものである。【００１７】
また、本発明の請求項４記載の複数液分配用のエアゾール装置は、請求項２または３記載の構成に加え、前記エアゾールバルブを２組とし、前記装着部材の上端部に２つの平側壁面を平行とした略長円柱形の先端突出部を形成し、この先端突出部を覆って前記補強カバー部材を設けて構成したことを特徴とするものである。【００１８】
さらに、本発明の請求項５記載の複数液分配用のエアゾール装置は、請求項４記載の構成に加え、前記補強カバー部材に、前記先端突出部に加えて前記装着部材を覆う脚部を設けて構成したことを特徴とするものである。【００１９】
また、本発明の請求項６記載の複数液分配用のエアゾール装置は、請求項１〜５のいずれかに記載の構成に加え、前記エアゾール容器内には噴射剤を充填する一方、２組ないし複数組のエアゾールバルブにそれぞれ内溶液が充填される容積を可変とする内袋を接続して構成したことを特徴とするものである。【００２０】
なお、ここで、内溶液とは、エアゾール容器内に充填される液状の原液のみならず、ジェル状、フォーム状、クリーム状の原液を含むものをいう。
【発明の効果】
【００２１】
本発明の請求項１記載の複数液分配用のエアゾール装置によれば、口径１インチの開口部の周囲にビード部が形成されたエアゾール容器内に複数の内溶液を充填し、複数のエアゾールバルブの各ステムを介してそれぞれの内溶液を外部に噴射させる複数液分配用のエアゾール装置で、前記開口部に嵌合装着される装着部材に複数のエアゾールバルブを装着し得るバルブハウジング装着部をそれぞれ形成してこれら複数のバルブハウジング装着部のそれぞれにエアゾールバルブを装着するとともに、当該装着部材の中間部を前記ビード部に位置させて装着し、この装着部材の外側を覆って前記ステムを突出させるとともに、ステムガスケットを押える被覆体を前記ビード部の外側にシールガスケットを介して固定するようにしたので、口径１インチの開口部に嵌合装着される装着部材に２つないし複数のバルブハウジング装着部を形成し、これらバルブハウジング装着部にそれぞれエアゾールバルブを装着することで、内側からクリンチする従来のマウンテンカップに比べてエアゾールバルブを装着するスペースを確保することができる。【００２２】
また、この装着部材の中間部をエアゾール容器の開口部のビード部に位置させて開口部よりエアゾールバルブの上部を突き出すように嵌合装着し、この装着部材の外側を被覆体で覆ってステムガスケットを押えるようにビード部の外側にかしめ等で固定することで、２つないし複数のエアゾールバルブをインチ缶に設けることができる。【００２３】
これにより、２つないし複数のエアゾールバルブから内溶液を分離した状態で混合することなく分配して噴射させることができるとともに、各エアゾールバルブから均一な噴射量で噴射させることが可能となる。【００２４】
また、本発明の請求項２記載の複数液分配用のエアゾール装置によれば、前記装着部材と前記被覆体との間には、前記ステムガスケットを押えるとともに、前記被覆体の変形を防止する補強カバー部材を設けたので、ステムガスケットの外側に補強カバー部材を配置することで、被覆体の天面部に加わる内圧による変形やステムガスケットからの漏洩などを確実に防止することができる。【００２５】
これにより、２つないし複数のエアゾールバルブを配置することによりステムガスケット部分などの面積が増大しても変形等を有効に押えて漏洩などを防止することができる
さらに、本発明の請求項３記載の複数液分配用のエアゾール装置によれば、前記補強カバー部材と前記装着部材との間に、当該補強カバー部材を当該装着部材に保持し得る保持手段を設けたので、補強カバー部材と装着部材との間に、スリットと爪などの互いを係止することができる保持手段を設けることで、補強カバー部材を装着部材に組立状態で保持することができる。【００２６】
これにより、エアゾールバルブの組み立てた状態で被覆体をクリンプなどで固定することができ、製造・組立作業が容易となる。【００２７】
また、本発明の請求項４記載の複数液分配用のエアゾール装置によれば、前記エアゾールバルブを２組とし、前記装着部材の上端部に２つの平側壁面を平行とした略長円柱形の先端突出部を形成し、この先端突出部を覆って前記補強カバー部材を設けて構成したので、平行な平側壁面を備えた略長円柱形の先端突出部を装着部に形成して補強カバー部材で覆うことで、平行な平側壁面を基準に組み立てることで位置決めが容易となり、効率的に組立作業を行うことができるとともに、エアゾール容器に内溶液を充填する充填工程でも効率的に作業することができる。【００２８】
さらに、本発明の請求項５記載の複数液分配用のエアゾール装置によれば、前記補強カバー部材に、前記先端突出部に加えて前記装着部材を覆う脚部を設けて構成したので、装着部材の先端突出部に加えて脚部を設けて全体を補強カバー部材で覆うことで、一層確実に被覆体の天面部を補強することができ、内圧による変形や内溶液の漏洩を防止することができる。【００２９】
また、本発明の請求項６記載の複数液分配用のエアゾール装置によれば、前記エアゾール容器内には噴射剤を充填する一方、２組ないし複数組のエアゾールバルブにそれぞれ内溶液が充填される容積を可変とする内袋を接続して構成したので、２組ないし複数組のそれぞれの内溶液を内袋から分離した状態で分配して噴射させることができ、エアゾール容器内面と非接触状態で内溶液をそれぞれ噴射させることができる。
【図面の簡単な説明】
【００３０】
【図１】本発明の複数液分配用のエアゾール装置の一実施の形態にかかる外観斜視図である。
【図２】本発明の複数液分配用のエアゾール装置の一実施の形態にかかる中央縦断面図（図1中のX−Y断面図）である。
【図３】本発明の複数液分配用のエアゾール装置の一実施の形態にかかる図２と直交する中央縦断面図（図1中のY−Y断面図）である。
【図４】本発明の複数液分配用のエアゾール装置の一実施の形態にかかる装着部材の正面図、、平面図、底面図および側面図である。
【図５】本発明の複数液分配用のエアゾール装置の一実施の形態にかかる補強カバー部材の中央縦断面図、平面図、底面図および側面図である。
【図６】本発明の複数液分配用のエアゾール装置の他の一実施の形態にかかる図1中のX−X断面の相当する中央縦断面図である。
【図７】本発明の複数液分配用のエアゾール装置の他の一実施の形態にかかる図1中のY−Y断面の相当する図７と直交する中央縦断面図である。
【図８】本発明の複数液分配用のエアゾール装置の他の一実施の形態にかかる装着部材の正面図、平面図、底面図および側面図である。
【図９】本発明の複数液分配用のエアゾール装置の他の一実施の形態にかかる補強カバー部材の中央縦断面図、平面図、底面図および側面図である。
【図１０】本発明の複数液分配用のエアゾール装置のさらに他の一実施の形態にかかる装着部材の正面図および平面図、補強カバー部材の中央縦断面図および平面図である。
【図１１】本発明の複数液分配用のエアゾール装置の他の一実施の形態にかかる装着部材の正面図および平面図、補強カバー部材の中央縦断面図および平面図である。
【発明を実施するための形態】
【００３１】
以下、本発明を実施するための形態について、詳細を説明する。
【００３２】
本発明の複数液分配用のエアゾール装置１０の一実施の形態では、図１に示すように、エアゾール容器１１として一般的に規格品的に用いられている口径１インチのビード部１２を備えたインチ缶に２組のエアゾールバルブ１５，１５を設けて構成してある。
【００３３】
この複数液分配用のエアゾール装置１０では、図２，３に示すように、エアゾール容器１１のビード部１２に合成樹脂製の装着部材１３を嵌合装着するようにし、この装着部材１３に２組のバルブハウジング装着部１４，１４が形成してあり、それぞれのバルブハウジング装着部１４，１４にエアゾールバルブ１５，１５が装着される。
【００３４】
この装着部材１３は、図４に示すように、略円筒状の外形とされた装着部本体１３ａを備え、その中間部外周につば部１３ｂが形成されてエアゾール容器１１のビード部１２上面に当接させることができ、つば部１３ｂの中間部下方にはビード部１２の内周に係合させる係合突部１３ｃが形成された係合片１３ｄが円周等間隔に８個設けられ、各係合片１３ｄの上端部と装着部本体１３ａとの間が放射方向の放射リブ１３ｅで支持され、装着部本体１３ａとの間に形成された緩衝空間によって弾性変形可能とされ、上方から押し込むことでビード部１２に嵌合装着できるようにしてある。
【００３５】
こうしてエアゾール容器１１のビード部１２に嵌合装着される装着部材１３の装着部本体１３ａには、上下方向に平行な小円筒状のバルブハウジング装着部１４，１４が装着部材１３の中心軸を挟む両側に設けられ、係合片１３ｄを支持する放射リブ１３ｅを介して装着部本体１３ａ内に支持されるとともに、装着部本体１３ａの上部に突き出した２つの平側壁面２２,２２を平行とし、その両端の半円壁面とで略長円形状に形成された先端突出部１３ｆ内にバルブハウジング装着部１４，１４の上端部が配置されている。
【００３６】
このバルブハウジング装着部１４，１４の中間部内周には、エアゾールバルブ１５，１５のバルブハウジング１６，１６を係合固定する係合爪１４ａが形成してある。
【００３７】
これら２組のバルブハウジング装着部１４，１４に装着されるエアゾールバルブ１５，１５のバルブハウジング１６，１６は略円筒状に形成され、その中間部外周に形成した係合段部１６ａをバルブハウジング装着部１４の係合爪１４ａに係合することで係合固定できるようにしてある。
【００３８】
これらバルブハウジング１６には、中間上部にそれぞれバルブ室１６ｂが形成されて下端部に形成したチューブ装着部１６ｃにディップチューブ１７が連結されており、さらに噴射剤の加圧力で容積を変えることができる内袋１８が取り付けられている。
【００３９】
また、各バルブ室１６ｂに装着されるエアゾールバルブ１５、１５は、ステム１５ａがステムボディ１５ｂとステム突出部１５ｃとで一体に構成され、ステム突出部１５ｃの中心部に噴射路１５ｄが形成されるとともに、噴射路１５ｄのステムボディ１５ｂの上面に対応する位置にバルブ室１６ｂと連通するオリフィス１５ｅが側方に開口しており、ステム１５ａおよび一体のステムボディ１５ｂがバルブ室１６ｂの底部に装着したスプリング１５ｆによって上方に付勢されている。そして、各ステム１５ａは、弁として開閉される環状のステムガスケット１５ｇの中心孔を貫通し、ステム１５ａが定常位置である上端に付勢された状態では、ステム１５ａの側方に開口したオリフィス１５ｅを塞いでバルブ室１６ｂと噴射路１５ｄとの連通を遮断し、ステム１５ａが押し下げられた時にステムガスケット１５ｇ自身がたわむことで、オリフィス１５ｅを開いてバルブ室１６ｂとステム１５ａの噴射路１５ｄとを連通させることができるようになっている。
【００４０】
この弁として開閉されるステムガスケット１５ｇは、周囲がバルブハウジング１６の上面および装着部材１３の先端突出部１３ｆの上面とに跨るように配置され、バルブハウジング１６の上面および装着部材１３の先端突出部１３ｆの上面にそれぞれ形成した２重同心上の環状の突起部によるシールポイント１６ｄ、１３ｇによりステムガスケット１５ｇを上部から押えた時に面圧を高めてシールできるようにしてある。なお、この実施の形態では、２本のステム１５ａ，１５ａに対応して一体のステムガスケット１５ｇが用いられ、略長円形状の先端突出部１３ｆの上面形状に対応して形成したもので構成してある。
【００４１】
このような装着部材１３およびバルブハウジング１６，１６の外側を覆って金属板製の被覆体１９が設けられ、例えばアルミ製とされ、２本のステム１５ａ，１５ａを貫通させて突出させるとともに、ステムガスケット１５ｇを押えて下端外周をエアゾール容器１１のビード部１２の外側に固定するようにしている。
【００４２】
したがって、この被覆体１９は、最上部が装着部材１３の先端突出部１３ｆの略長円柱形状の外側を覆う形状とされ、その下方に小径円筒部とこれに連続する大径円筒部とクリンプ部とが形成された形状に形成してあり、被覆体１９をビード部１２に固定する場合には、ビード部１２の上面と装着部材１３のつば部１３ｂとの間にシールガスケット２０を配置してクリンプすることで、エアゾール容器１１をシール性を高めて密封できるようにする。
【００４３】
また、この複数液分配用のエアゾール装置１０には、充填作業を円滑に行うとともに、噴射流量を調整するため、バルブハウジング１６のバルブ室１６ｂの下方にそれぞれ下部バルブ室１６ｅが形成されてポペットバルブ２１が装着してあり、内溶液の充填の際には、ポペットバルブ２１を押し下げた位置として周囲を流路とし、短時間に内溶液を充填できるようにする一方、充填後の使用状態では、ポペットバルブ２１を内溶液で押し上げた位置に保持することで、中心部の流路で噴射流量を規制できるようにしてある。
【００４４】
したがって、ポペットバルブ２１を装着する場合には、ステム１５ａのオリフィス１５ｅで噴射流量を規制する必要がなく、内溶液の充填に支障のない大きな孔としておくことができる。
【００４５】
さらに、この実施の形態の複数液分配用のエアゾール装置１０では、被覆体１９で２本のステム１５ａ，１５ａに対応する１つのステムガスケット１５ｇを押えているが、これまでの１本のステムに対応するステムガスケットに比べその面積が先端突出部１３ｆの面積に対応して大きくなりエアゾール容器１１の内圧が加わる受圧面積も大きくなることから、ステムガスケット１５ｇを押えるとともに、被覆体１９の変形を防止する合成樹脂製の補強カバー部材３０が設けてある。
【００４６】
この補強カバー部材３０は、図５に示すように、装着部材１３の先端突出部１３ｆの外側を覆うカバー部本体３０ａを備えて構成されており、合成樹脂製の補強カバー部材３０の剛性によってステムガスケット１５ｇを押えるとともに、被覆体１９の変形を防止するようにしてある。
【００４７】
このような補強カバー部材３０を介して被覆体１９で押えることで、簡素な部品で受圧面積の増大に対応することができる。
【００４８】
なお、補強カバー部材３０としては、この発明の複数液分配用のエアゾル装置の他の実施の形態である図６〜９に示すように、装着部材１３の先端突出部１３ｆの外側を覆うカバー本体部３０ａに加え、カバー本体部３０ａの下方に連続する装着部材１３の装着部本体１３ａの外側を覆う脚部３０ｂを備えた外形としたもので構成することもできる。この脚部３０ｂを形成することで、この部分を利用して装着部材１３に保持する保持手段３１を設けることが可能となる。この保持手段３１としては、例えば、脚部３０ｂに外周側壁部に保持手段３１を構成する横長のスリット３１ａを円周等間隔に４箇所形成しておき、対応する装着部材１３の装着部本体１３ａに保持用の爪３１ｂを外側に突き出して形成しておく。
【００４９】
このような補強カバー部材３０と装着部材１３との間に設けた保持手段３１のスリット３１ａと爪３１ｂとを係合して組立状態を保持できるようにすることで、被覆体１９で外側を覆ってエアゾール容器１１のビード部１２に固定する前の状態でもエアゾールバルブ１５を組み立てた状態とすることができ、製造・組立を容易にすることができるとともに、固定前の噴射剤の充填作業も簡単に行うことができる。
【００５０】
なお、この複数液分配用のエアゾール装置の他の構成は既に説明した上記実施の形態と同一である。
【００５１】
また、補強カバー部材は、被覆体１９自体がその材質や板厚などによって受圧面積の増大による変形を防止できる場合には、補強カバー部材３０を省略して複数液分配用のエアゾール装置１０を構成することもでき、構成部品を減らすことができる。
【００５２】
また、装着部材１３につば部１３ｂを形成してエアゾール容器１１のビード部１２上に当接させるようにしたが、つば部を省略して装着部材１３の中間部をビード部１２に位置させて装着部材１３の一部が上方に突き出す状態で被覆体１９で覆ってビード部１２に固定するようにしても良く、装着部材の形状を単純化でき、金型製作も容易となる。
【００５３】
次に、このように構成した複数液分配用のエアゾール装置１０の組立手順と内溶液および噴射剤の充填とについて説明する。
【００５４】
まず、装着部材１３では、装着部材本体１３ａのつば部１３ｂの下面にビード部１２とのシール用のシールガスケット２０を装着しておく。
【００５５】
また、バルブハウジング１６には、下部バルブ室１６ｅにポペットバルブ２１を周囲とは隙間のある状態で装着した後、下端部のチューブ装着部１６ｃにディップチューブ１７を接続し、このディップチューブ１７を覆うように内袋１８を装着し、チューブ装着部１６ｃの外側に固定する。
【００５６】
次に、ディップチューブ１７および内袋１８が固定されたバルブハウジング１６を装着部材１３のバルブハウジング装着部１４に下方から装着し、係合段部１６ａと係合爪１４ａを係合させて所定の位置に固定する。
【００５７】
また、エアゾールバルブ１５は、予めステム１５ａおよびスプリング１５ｆを組み立てるとともに、ステム１５ａを貫通させてステムガスケット１５ｇを装着した状態にしておく。
【００５８】
この後、バルブハウジング１６のバルブ室１６ｂに予め組み立てられたエアゾールバルブ１５を装着し、ステムガスケット１５ｇを装着部材１３およびバルブハウジング１６の上面に位置させる。
【００５９】
こうして２組のエアゾールバルブ１５,１５を、バルブハウジング１６,１６を介して装着部材１３に装着し、ステムガスケット１５ｇを載せた状態で補強カバー部材３０を被せ、ステムガスケット１５ｇを押えるようにする。さらに、この補強カバー部材３０の外側を被覆体１９で覆い、装着部材１３と被覆体１９を固定することで、ステムガスケット１５ｇが装着部材１３およびバルブハウジング１６のシールポイント１３ｇ，１６ｄに押圧されてエアゾールバルブ１５、１５も閉じられた状態となる。
【００６０】
この被覆体１９で装着部材１３およびバルブハウジング１６を覆った状態で、エアゾール容器１１の開口部に内袋１８,１８から挿入するようにしてビード部１２につば部１２の下面のシールガスケット２０が載せ置かれた状態とする。
【００６１】
この状態では、エアゾール容器１１の開口部から装着した装着部材１３の係合片１３ｄの係合突部１３ｃは係合状態とはならず、エアゾール容器１１のビード部１２と装着部材１３との間に隙間が形成された状態となり、エアゾール容器１１と外部とが連通状態となっている。
【００６２】
この状態で、エアゾール容器１１内に噴射剤の充填が行われる。
【００６３】
噴射剤の充填は、これまでと同様に、被覆体１９の外周に噴射剤充填ヘッドを配置し、エアゾール容器１１のビード部１２と装着部材１３との隙間から窒素ガスなどの噴射剤をエアゾール容器１１内に充填し、充填の完了と同時に装着部材１３を押し込んで係合片１３ｄの係合突部１３ｃを係合状態とし、嵌合装着状態とした後、被覆体１９の下端外周のクリンプ部をビード部１２の外周にクリンプする。
【００６４】
この被覆体１９をクリンプした状態では、装着部材１３のつば部１３ｂの下面のシールガスケット２０がビード部１２の上面に押圧されてエアゾール容器１１が密封状態となるとともに、噴射剤の充填とエアゾール装置１０の構成部品の組み立てが完了する。
【００６５】
この後、内袋１８,１８内にステム１５ａ，１５ａを介して異なる内溶液をそれぞれ分離して充填する。
【００６６】
この内溶液の充填の際、これまでのエアゾール容器とは異なり、中心軸を挟む両側に２本のステム１５ａ，１５ａが位置するとともに、それぞれ異なる内溶液を充填するためには、充填工程においてエアゾール容器１１の位置決めを行って所定のステム１５ａ（１５ａ）定めて内溶液の充填を行う必要があるが、装着部材１３の先端突出部１３ｆの形状を、平行な平側壁面２２、２２を備えた略長円形状にしてあるので、平行な平側壁面２２、２２を利用することで、２本のステム１５ａ，１５ａを前後あるいは左右などに配置するよう位置決めすることが容易にでき、その状態を保持して所定のステム１５ａ（１５ａ）に充填することで、異なる内溶液を分離してそれぞれの内袋１８,１８に充填することができる。
【００６７】
なお、充填工程におけるエアゾール容器１１の位置決めを、装着部材１３の先端突出部１３ｆの形状を平行な平側壁面２２、２２を備えた略長円形状にし、この平行な平側壁面２２、２２を利用することで、２本のステム１５ａ，１５ａを前後あるいは左右などに配置するよう位置決めするようにしたが、平行な平側壁面２２、２２に代えて、図１０に示すように、装着部材１３の先端突出部１３ｆの形状を平面視８字状とした中央に凹部が形成された曲側壁面２３を両側に備えた形状とすることで、これら曲側壁面２３、２３を利用することで、平行な平側壁面２２、２２と同様に、２本のステム１５ａ，１５ａを前後あるいは左右などに配置するよう位置決めすることが容易にでき、その状態を保持して所定のステム１５ａ（１５ａ）に充填することで、異なる内溶液を分離してそれぞれの内袋１８,１８に充填することができるとともに、曲側壁面２３、２３の中央凹部を利用して確実に押えることも可能となる。
【００６８】
なお、この装着部材１３を用いる場合には、同図中に示すように、補強カバー部材３２を対応する形状にしたものを使用する。
【００６９】
また、充填工程におけるエアゾール容器１１の位置決めを装着部材１３の先端突出部１３ｆの形状を平行な平側壁面２２、２２としたり、曲側壁面２３を両側に形成して利用する場合には、２本のステム１５ａ，１５ａを前後あるいは左右などに配置するよう位置決めすることができるが、個々のステム１５ａ，１５ａを特定して位置決めすることはできないことから、図１１に示すように、装着部材１３の先端突出部１３ｆの形状を一方側の平側壁面２２と他方側の中央に凹部が形成された曲側壁面２３を備えた形状とすることで、これら平側壁面２２と曲側壁面２３を利用することで、２本のステム１５ａ，１５ａを前後あるいは左右などに配置するよう位置決めするだけでなく、それぞれのステム１５ａ，１５ａを個々に識別して位置決めすることができ、その状態を保持して所定のステム１５ａ（１５ａ）に充填することで、異なる内溶液を分離してそれぞれの内袋１８,１８に確実に充填することができるとともに、片側の曲側壁面２３の中央凹部を利用して確実に押えることも可能となる。
【００７０】
なお、この装着部材１３を用いる場合にも、同図中に示すように、補強カバー部材３３を対応する形状にしたものを使用する。
【００７１】
このような複数液分配用のエアゾール装置１０によれば、口径が１インチのビード部１２を備えたいわゆるインチ缶であっても２つのエアゾールバルブ１５，１５を配置することができ、それぞれのエアゾールバルブ１５，１５のステム１５ａ，１５ａから内溶液をエアゾール容器１１内から外部に分離した状態で混合することなく分配して噴射させることができる。
【００７２】
これにより、２つの異なる内溶液を外部に分離して混合することなく分配して噴射させることができるエアゾール装置を１インチ缶で構成することができ、エアゾール製品を安価に製造することができる。また、２つのエアゾールバルブによって各内容液を均一な噴射量で噴射させることが可能となる。
【００７３】
さらに、この複数液分配用のエアゾール装置１０によれば、エアゾール容器１１のビード部１２に、装着部材１３の中間部を位置させて装着し、ステム１５ａの挿入部分をビード部１２よりも上方に突き出して配置してあるので、２つのエアゾールバルブ１５，１５の２本のステム１５ａ，１５ａを並べて配置しても装着部材１３の外側から被せる被覆体１９によってビード部１２の外側に固定することができ、これまでのマウンテンカップのように内側にクリンチ用の空間を確保する必要がなく、口径１インチのビード部１２の大きさの拘束を受けることなく、２つのエアゾールバルブ１５，１５をエアゾール容器１１に装着することができる。
【００７４】
また、１インチのビード部１２を備えたインチ缶に装着部材１３を介して２つのエアゾールバルブ１５，１５を配置することで、ステムガスケット１５ｇが２本のステム１５ａ，１５ａに対応した大きさとなり、ステムガスケット１５ｇを押える被覆体１９の天面部の面積が増大し、噴射剤による受圧面積の増大による変形などの恐れがあるが、合成樹脂製の補強カバー部材３０をステムガスケット１５ｇと被覆体１９との間に設けるようにしたので、被覆体１９の変形を防止してステムガスケット１５ｇを押えることができる。
【００７５】
これにより、ステムガスケット１５ｇの変形などによる漏洩を完全に防止することができる。
【００７６】
さらに、この複数液分配用のエアゾール装置１０によれば、補強カバー部材３０と装着部材１３との間に、当該補強カバー部材３０を当該装着部材１３に保持し得る保持手段３１を設け、補強カバー部材３０の脚部３０ｂにスリット３１ａを形成し、保持部材１３の装着部本体１３ａに爪３１ｂを形成したので、スリット３１ａと爪３１ｂを互いに係止することで、補強カバー部材３０を装着部材１３に組立状態で保持することができる。
【００７７】
これにより、エアゾールバルブ１５，１５を組み立てた状態で、被覆体１９で覆って固定することができ、スプリング１５ｆ，１５ｆで付勢されたステム１５ａ，１５ａを押えながら組み立てる必要がなく、製造・組立作業が容易となる。
【００７８】
また、この複数液分配用のエアゾール装置１０によれば、エアゾールバルブ１５，１５を２組とし、装着部材１３の上端部に２つの平側壁面２２、２２を平行とした略長円柱形の先端突出部１３ｆを形成し、この先端突出部１３ｆを覆って補強カバー部材３０をクリンプして固定するように構成したので、先端突出部１３ｆの平行な平側壁面２２、２２を基準に組み立てることで位置決めが容易となり、効率的に組立作業を行うことができるとともに、エアゾール容器１１に内溶液を充填する充填工程でもそれぞれのステム１５ａ，１５ａに効率的に作業することができる。さらに、先端突出部１３ｆを平側壁面２２と曲側壁面２３とを組合わせた形状とすることで、２つのステム１５ａ，１５ａの位置決めだけでなくそれぞれを識別することも可能となる。
【００７９】
さらに、この複数液分配用のエアゾール装置１０によれば、補強カバー部材３０に、先端突出部１３ｆを覆うカバー本体部３０ａに加えて装着部材１３を覆う脚部３０ｂを設けて構成することで、装着部材１３の略全体を補強カバー部材３０で覆うことができ、一層確実に被覆体１９の天面部を補強することができ、内圧による変形や内溶液の漏洩を防止することができる。
【００８０】
また、この複数液分配用のエアゾール装置１０によれば、エアゾール容器１１内には噴射剤を充填する一方、２組のエアゾールバルブ１５，１５にそれぞれ内溶液が充填される容積を可変とする内袋１８，１８を接続して構成したので、２組それぞれの内溶液を内袋１８，１８から分離した状態で分配して噴射させることができ、エアゾール容器１１の内面と非接触状態で内溶液をそれぞれ噴射させることができる。
【００８１】
なお、この複数液分配用のエアゾール装置１０では、２本のステムには押しボタン式などのアクチュエータを装着して内溶液を噴射させるが、２つの異なる内溶液をアクチュエータから分離した状態で噴射させるようにしても、アクチュエータ内で混合して噴射させるようにする場合のいずれであっても良く、内溶液の種類やその使用目的などにより適宜選択すれば良い。
【００８２】
また、この複数液分配用のエアゾール装置１０の２つの内袋に充填される内溶液としては、主剤と添加剤など予め混合しておくと硬化や酸化などの化学反応を生じて好ましくない剤型のエアゾール製品の主剤と添加剤などを挙げることができ、例えばホットシェービングクリーム、毛髪染料、接着剤、塗料、医薬品などのエアゾール製品として好適であり、さらにフォーム剤形の内溶液にも適用可能である。
【００８３】
さらに、この複数液分配用のエアゾール装置は、２つの異なる内溶液を充填して分配噴射させる場合に限らず、３つなどさらに複数の異なる内溶液を充填して噴射させるように構成することもできる。
【符号の説明】
【００８４】
１０                  複数液分配用のエアゾール装置
１１                  エアゾール容器（インチ缶）
１２                  ビード部
１３                  装着部材
１３ａ                装着部本体
１３ｂ                つば部
１３ｃ                係合突部
１３ｄ                係合片
１３ｅ                放射リブ
１３ｆ                先端突出部
１３ｇ                シールポイント
１４                  バルブハウジング装着部
１４ａ                係止爪
１５                  エアゾールバルブ
１５ａ                ステム
１５ｂ                ステムボディ
１５ｃ                ステム突出部
１５ｄ                噴射路
１５ｅ                オリフィス
１５ｆ                スプリング
１５ｇ                ステムガスケット
１６                  バルブハウジング
１６ａ                係合段部
１６ｂ                バルブ室
１６ｃ                チューブ装着部
１６ｄ                シールポイント
１６ｅ                下部バルブ室
１７                  ディップチューブ
１８                  内袋
１９                  被覆体
２０                  シールガスケット
２１                  ポペットバルブ
２２                  平側壁面
２３                  曲側壁面
３０                  補強カバー部材
３０ａ                カバー本体部
３０ｂ                脚部
３１                  保持手段
３１ａ                スリット
３１ｂ                爪
３２                  補強カバー部材
３３                  補強カバー部材
【図１】
2012011162.tif 000003
【図２】
2012011162.tif 000004
【図３】
2012011162.tif 000005
【図４】
2012011162.tif 000006
【図５】
2012011162.tif 000007
【図６】
2012011162.tif 000008
【図７】
2012011162.tif 000009
【図８】
2012011162.tif 000010
【図９】
2012011162.tif 000011
【図１０】
2012011162.tif 000012
【図１１】
2012011162.tif 000013
【手続補正書】
【提出日】平成24年11月29日(2012.11.29)
【手続補正１】
【補正対象書類名】明細書
【補正対象項目名】特許請求の範囲
【補正方法】変更
【補正の内容】
【特許請求の範囲】
【請求項１】
口径１インチの開口部の周囲にビード部が形成されたエアゾール容器内に複数の内溶液を充填し、複数のエアゾールバルブの各ステムを介してそれぞれの内容液を外部に噴射させる複数液分配用のエアゾール装置であって、
前記開口部に嵌合装着される装着部材に複数のエアゾールバルブを装着し得るバルブハウジング装着部をそれぞれ形成してこれら複数のバルブハウジング装着部のそれぞれにエアゾールバルブを装着するとともに、当該装着部材の中間部を前記ビード部に位置させて装着し、
この装着部材の外側を覆って前記ステムを突出させるとともに、ステムガスケットを押える被覆体を前記ビード部の外側にシールガスケットを介して固定し、前記装着部材と前記被覆体との間には、前記ステムガスケットを押えるとともに、前記被覆体の変形を防止する補強カバー部材を設けたことを特徴とする複数液分配用のエアゾール装置。
【請求項２】
前記補強カバー部材と前記装着部材との間に、当該補強カバー部材を当該装着部材に保持し得る保持手段を設けたことを特徴とする請求項１記載の複数液分配用のエアゾール装置。
【請求項３】
前記エアゾールバルブを２組とし、前記装着部材の上端部に２つの平側壁面を平行とした略長円柱形の先端突出部を形成し、この先端突出部を覆って前記補強カバー部材を設けて構成したことを特徴とする請求項１または２記載の複数液分配用のエアゾール装置。
【請求項４】
前記補強カバー部材に、前記先端突出部に加えて前記装着部材を覆う脚部を設けて構成したことを特徴とする請求項３記載の複数液分配用のエアゾール装置。
【請求項５】
前記エアゾール容器内には噴射剤を充填する一方、２組ないし複数組のエアゾールバルブにそれぞれ内溶液が充填される容積を可変とする内袋を接続して構成したことを特徴とする請求項１〜４のいずれかに記載の複数液分配用のエアゾール装置。
【手続補正２】
【補正対象書類名】明細書
【補正対象項目名】００１４
【補正方法】変更
【補正の内容】
【００１４】
上記課題を解決するため、本発明の請求項１記載の複数液分配用のエアゾール装置は、口径１インチの開口部の周囲にビード部が形成されたエアゾール容器内に複数の内溶液を充填し、複数のエアゾールバルブの各ステムを介してそれぞれの内容液を外部に噴射させる複数液分配用のエアゾール装置であって、前記開口部に嵌合装着される装着部材に複数のエアゾールバルブを装着し得るバルブハウジング装着部をそれぞれ形成してこれら複数のバルブハウジング装着部のそれぞれにエアゾールバルブを装着するとともに、当該装着部材の中間部を前記ビード部に位置させて装着し、この装着部材の外側を覆って前記ステムを突出させるとともに、ステムガスケットを押える被覆体を前記ビード部の外側にシールガスケットを介して固定し、前記装着部材と前記被覆体との間には、前記ステムガスケットを押えるとともに、前記被覆体の変形を防止する補強カバー部材を設けたことを特徴とするものである。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
さらに、本発明の請求項２記載の複数液分配用のエアゾール装置は、請求項１記載の構成に加え、前記補強カバー部材と前記装着部材との間に、当該補強カバー部材を当該装着部材に保持し得る保持手段を設けたことを特徴とするものである。
【手続補正５】
【補正対象書類名】明細書
【補正対象項目名】００１７
【補正方法】変更
【補正の内容】
【００１７】
また、本発明の請求項３記載の複数液分配用のエアゾール装置は、請求項１または２記載の構成に加え、前記エアゾールバルブを２組とし、前記装着部材の上端部に２つの平側壁面を平行とした略長円柱形の先端突出部を形成し、この先端突出部を覆って前記補強カバー部材を設けて構成したことを特徴とするものである。
【手続補正６】
【補正対象書類名】明細書
【補正対象項目名】００１８
【補正方法】変更
【補正の内容】
【００１８】
さらに、本発明の請求項４記載の複数液分配用のエアゾール装置は、請求項３記載の構成に加え、前記補強カバー部材に、前記先端突出部に加えて前記装着部材を覆う脚部を設けて構成したことを特徴とするものである。
【手続補正７】
【補正対象書類名】明細書
【補正対象項目名】００１９
【補正方法】変更
【補正の内容】
【００１９】
また、本発明の請求項５記載の複数液分配用のエアゾール装置は、請求項１〜４のいずれかに記載の構成に加え、前記エアゾール容器内には噴射剤を充填する一方、２組ないし複数組のエアゾールバルブにそれぞれ内溶液が充填される容積を可変とする内袋を接続して構成したことを特徴とするものである。
【手続補正８】
【補正対象書類名】明細書
【補正対象項目名】００２１
【補正方法】変更
【補正の内容】
【００２１】
本発明の請求項１記載の複数液分配用のエアゾール装置によれば、口径１インチの開口部の周囲にビード部が形成されたエアゾール容器内に複数の内溶液を充填し、複数のエアゾールバルブの各ステムを介してそれぞれの内容液を外部に噴射させる複数液分配用のエアゾール装置で、前記開口部に嵌合装着される装着部材に複数のエアゾールバルブを装着し得るバルブハウジング装着部をそれぞれ形成してこれら複数のバルブハウジング装着部のそれぞれにエアゾールバルブを装着するとともに、当該装着部材の中間部を前記ビード部に位置させて装着し、この装着部材の外側を覆って前記ステムを突出させるとともに、ステムガスケットを押える被覆体を前記ビード部の外側にシールガスケットを介して固定し、前記装着部材と前記被覆体との間には、前記ステムガスケットを押えるとともに、前記被覆体の変形を防止する補強カバー部材を設けたので、口径１インチの開口部に嵌合装着される装着部材に２つないし複数のバルブハウジング装着部を形成し、これらバルブハウジング装着部にそれぞれエアゾールバルブを装着することで、内側からクリンチする従来のマウンテンカップに比べてエアゾールバルブを装着するスペースを確保することができる。
【手続補正９】
【補正対象書類名】明細書
【補正対象項目名】００２４
【補正方法】変更
【補正の内容】
【００２４】
また、本発明は、前記装着部材と前記被覆体との間には、前記ステムガスケットを押えるとともに、前記被覆体の変形を防止する補強カバー部材を設けたので、ステムガスケットの外側に補強カバー部材を配置することで、被覆体の天面部に加わる内圧による変形やステムガスケットからの漏洩などを確実に防止することができる。
これにより、２つないし複数のエアゾールバルブを配置することによりステムガスケット部分などの面積が増大しても変形等を有効に押えて漏洩などを防止することができる。
【手続補正１０】
【補正対象書類名】明細書
【補正対象項目名】００２５
【補正方法】変更
【補正の内容】
【００２５】
さらに、本発明の請求項２記載の複数液分配用のエアゾール装置によれば、前記補強カバー部材と前記装着部材との間に、当該補強カバー部材を当該装着部材に保持し得る保持手段を設けたので、補強カバー部材と装着部材との間に、スリットと爪などの互いを係止することができる保持手段を設けることで、補強カバー部材を装着部材に組立状態で保持することができる。
【手続補正１１】
【補正対象書類名】明細書
【補正対象項目名】００２７
【補正方法】変更
【補正の内容】
【００２７】
また、本発明の請求項３記載の複数液分配用のエアゾール装置によれば、前記エアゾールバルブを２組とし、前記装着部材の上端部に２つの平側壁面を平行とした略長円柱形の先端突出部を形成し、この先端突出部を覆って前記補強カバー部材を設けて構成したので、平行な平側壁面を備えた略長円柱形の先端突出部を装着部に形成して補強カバー部材で覆うことで、平行な平側壁面を基準に組み立てることで位置決めが容易となり、効率的に組立作業を行うことができるとともに、エアゾール容器に内溶液を充填する充填工程でも効率的に作業することができる。
【手続補正１２】
【補正対象書類名】明細書
【補正対象項目名】００２８
【補正方法】変更
【補正の内容】
【００２８】
さらに、本発明の請求項４記載の複数液分配用のエアゾール装置によれば、前記補強カバー部材に、前記先端突出部に加えて前記装着部材を覆う脚部を設けて構成したので、装着部材の先端突出部に加えて脚部を設けて全体を補強カバー部材で覆うことで、一層確実に被覆体の天面部を補強することができ、内圧による変形や内溶液の漏洩を防止することができる。
【手続補正１３】
【補正対象書類名】明細書
【補正対象項目名】００２９
【補正方法】変更
【補正の内容】
【００２９】
また、本発明の請求項５記載の複数液分配用のエアゾール装置によれば、前記エアゾール容器内には噴射剤を充填する一方、２組ないし複数組のエアゾールバルブにそれぞれ内溶液が充填される容積を可変とする内袋を接続して構成したので、２組ないし複数組のそれぞれの内溶液を内袋から分離した状態で分配して噴射させることができ、エアゾール容器内面と非接触状態で内溶液をそれぞれ噴射させることができる。
【国際調査報告】
2012011162.tif 000014
2012011162.tif 000015